(57)【要約】【課題】本発明は、容易に電子装置の蓋体を基部から分離することができる取外し装置を提供することを目的とする。【解決手段】本発明の取外し装置は、底台、支持部材、駆動部材、吸取部材、加熱部材を備え、底台は、第一排気孔を備え、第一キャビティは支持板によって覆われ、支持板は電子装置を支持し、支持板は第一通孔を備え、第一排気孔は第一連接管を介して真空装置と連接し、第一キャビティの内部の空気が真空装置によって吸い取られると、基部は支持板に緊密に吸着し、支持部材は底台に固定され、駆動部材は支持部材に固定され、駆動部材は伸縮棒を備え、伸縮棒は底台に対して伸縮し、吸着部材は伸縮棒の末端に固定され、且つ第二排気孔を備え、第二キャビティは吸着板によって覆われ、吸着板は第二通孔を備え、第二排気孔は、第二連接管を介して真空装置と連接される。【選択図】図１
2014116937.tif 000002
【特許請求の範囲】
【請求項１】
電子装置の基部と蓋体とを分離する取外し装置において、 
前記取外し装置は、底台、支持部材、駆動部材、吸着部材、加熱部材を備え、前記底台は、第一キャビティ及び該第一キャビティと連通する第一排気孔を備え、前記第一キャビティは、支持板によって覆われ、前記支持板は、電子装置を支持し、前記支持板は、前記第一キャビティと連通する複数の第一通孔を備え、前記第一排気孔は、第一連接管を介して真空装置と連接され、前記第一キャビティの内部の空気が前記真空装置によって吸い取られると、前記電子装置の基部は前記支持板に緊密に吸着し、
前記支持部材は前記底台に固定され、前記駆動部材は前記支持部材に固定され、前記駆動部材は、伸縮棒を備え、前記伸縮棒は、前記底台に対して伸縮し、前記吸着部材は、前記伸縮棒の末端に固定され、且つ第二キャビティ及び前記第二キャビティと連通する第二排気孔を備え、前記第二キャビティは吸着板によって覆われ、前記吸着板は前記第二キャビティと連通する複数の第二通孔を備え、前記第二排気孔は、第二連接管を介して前記真空装置と連接し、前記第二キャビティの内部の空気が前記真空装置によって吸い取られると、前記電子装置の蓋体は前記吸着板に緊密に吸着され、
前記加熱部材は、前記吸着板における前記底台に向かう表面に固定され、前記蓋体と前記基部との間の接着剤が加熱されると、前記接着剤は軟化して、前記蓋体は前記伸縮棒と共に上方に移動することができ、且つ前記蓋体は前記基部から分離することを特徴とする取外し装置。
【請求項２】
前記駆動部材はシリンダーであることを特徴とする請求項１に記載の取外し装置。
【請求項３】
前記加熱部材は、電熱線、伝導板を備え、前記電熱線は、前記吸着板における前記底台に向かう表面に固定され、前記伝導板は、前記電熱線を覆い、前記電熱線に電流が流れて生成された熱量は、前記伝導板によって、前記蓋体に伝導されることを特徴とする請求項１または２に記載の取外し装置。
【請求項４】
前記取外し装置は、さらに磁石を備え、前記磁石は、前記吸着板における前記底台に向かう表面に固定され、前記磁石は、前記電子装置の前記基部の内部に設置された別の磁石と引き合うことを特徴とする請求項１から３のいずれか一項に記載の取外し装置。
【発明の詳細な説明】
【技術分野】
【０００１】
本発明は、電子装置の蓋体と基部とを分離することができる取外し装置に関するものである。
【背景技術】
【０００２】
現在、携帯式電子装置（例えば、携帯電話）の蓋体（即ち、ディスプレイが取り付けられている蓋体）と基部（即ち、ディスプレイ以外の蓋体部分）とは、接着剤によって連接されている。従って、修理等のために蓋体と基部とを分離したい場合、手動で分離することは難しく、且つ分離しようとすれば蓋体と基部とが損傷する恐れがある。
【発明の概要】
【発明が解決しようとする課題】
【０００３】
以上の問題点に鑑みて、本発明は、容易に電子装置の蓋体を基部から分離することができる取外し装置を提供することを目的とする。
【課題を解決するための手段】
【０００４】
上記の課題を解決するために、本発明の取外し装置は、電子装置の基部と蓋体とを分離する。前記取外し装置は、底台、支持部材、駆動部材、吸着部材、加熱部材を備え、前記底台は、第一キャビティ及び該第一キャビティと連通する第一排気孔を備え、前記第一キャビティは、支持板によって覆われ、前記支持板は、電子装置を支持し、前記支持板は、前記第一キャビティと連通する複数の第一通孔を備え、前記第一排気孔は、第一連接管を介して真空装置と連接し、前記第一キャビティの内部の空気が前記真空装置によって吸い取られると、前記電子装置の基部は前記支持板に緊密に吸着し、前記支持部材は前記底台に固定され、前記駆動部材は前記支持部材に固定され、前記駆動部材は、伸縮棒を備え、前記伸縮棒は、前記底台に対して伸縮し、前記吸着部材は、前記伸縮棒の末端に固定され、且つ第二キャビティ及び前記第二キャビティと連通する第二排気孔を備え、前記第二キャビティは吸着板によって覆われ、前記吸着板は前記第二キャビティと連通する複数の第二通孔を備え、前記第二排気孔は、第二連接管を介して前記真空装置と連接され、前記第二キャビティの内部の空気が前記真空装置によって吸い取られると、前記電子装置の蓋体は前記吸着板に緊密に吸着され、前記加熱部材は、前記吸着板における底台に向かう表面に固定され、前記蓋体と前記基部との間の接着剤が加熱されると、前記接着剤は軟化して、前記蓋体は前記伸縮棒と共に上方に移動することができ、且つ前記蓋体は前記基部から分離する。
【発明の効果】
【０００５】
本発明の取外し装置は、加熱部材を介して接着剤を軟化させることで、蓋体を基部から容易に分離させる。従って、分離する際に、蓋体と基部との損傷を防止することができる。
【図面の簡単な説明】
【０００６】
【図１】本発明に係る取外し装置の斜視図である。
【図２】図１に示した取外し装置の分解斜視図である。
【図３】図１に示した取外し装置のＩＩＩ―ＩＩＩ線に沿った断面図である。
【図４】図３に示した取外し装置のＩＶ部分の拡大図である。
【発明を実施するための形態】
【０００７】
以下、図面に基づいて、本発明に係る取外し装置１００について詳細に説明する。図１及び図４に示したように、取外し装置１００は、電子装置２００の基部２１０と蓋体２２０とを分離する。基部２１０は、底板２１１、側壁２１３、及び側壁２１３における底板２１１と離れた一端から基部２１０の内部に向けて延伸して形成された支持部２１５を備える。支持部２１５は、蓋体２２０の内表面と接着剤によって連接される。支持部２１５の蓋体２２０と近接する一側には、凹溝２１７が設けられ、凹溝２１７には、第一磁石２５０が収容されている。凹溝２１７に収容された第一磁石２５０は、蓋体２２０に設置された第二磁石２７０と引き合う。これにより、蓋体２２０を支持部２１５に固定することができる。
【０００８】
図２及び図３に示したように、取外し装置１００は、底台１０、支持部材２０、駆動部材３０、吸着部材４０、及び加熱部材５０を備える。底台１０は、第一キャビティ１１及び該第一キャビティ１１と連通する第一排気孔１３を備える。第一キャビティ１１は、支持板１５によって覆われ、支持板１５は、電子装置２００を支持する。支持板１５は、第一キャビティ１１と連通する複数の第一通孔１５１を備える。第一排気孔１３は、第一連接管１７を介して真空装置６０と連接される。電子装置２００を支持板１５に載置して、電子装置２００の基部２１０と支持板１５とを接触させ、且つ第一通孔１５１を塞ぐ。これにより、第一キャビティ１１の内部の空気が真空装置６０によって吸い取られることによって、第一キャビティ１１の内部は真空状態になり、電子装置２００の基部２１０は支持板１５に緊密に吸着される。
【０００９】
支持部材２０は底台１０に固定され、駆動部材３０は支持部材２０に固定される。駆動部材３０は、伸縮棒３１を備え、該伸縮棒３１は、底台１０に対して伸縮することができる。本実施形態において、駆動部材３０はシリンダーである。
【００１０】
吸着部材４０は、伸縮棒３１の末端に固定され、第二キャビティ４１及びこの第二キャビティ４１と連通する第二排気孔４３を備える。第二キャビティ４１は、吸着板４５によって覆われ、吸着板４５は、第二キャビティ４１と連通する複数の第二通孔４５１を備える。第二排気孔４３は、第二連接管４７を介して真空装置６０に連接される。吸着部材４０は、駆動部材３０によって駆動されて底台１０に近づく。電子装置２００の蓋体２２０と吸着板４５とが接触すると、第二通孔４５１は塞がれ、第二キャビティ４１の内部の空気は真空装置６０によって吸い取られることによって、第二キャビティ４１の内部は真空状態になり、電子装置２００の蓋体２２０は吸着板４５に緊密に吸着される。
【００１１】
加熱部材５０は、吸着板４５における底台１０に向かう表面に固定され、蓋体２２０と基部２１０との間の接着剤２３０を加熱する。具体的には、本実施形態において、加熱部材５０は、電熱線５１及び伝導板５３を備える。電熱線５１は、インサート成形法によって吸着板４５における底台１０に向かう表面に固定される。電子装置２００の蓋体２２０と吸着板４５とが接触した際、伝導板５３は、蓋体２２０における接着剤２３０の反対側に位置する（つまり、伝導板５３は接着剤２３０の上方に位置する）。伝導板５３の幅は、接着剤２３０の幅と同じである。伝導板５３は電熱線５１を覆う。電熱線５１に電流が流れて生成された熱量は、伝導板５３によって蓋体２２０に伝導される。これにより、接着剤２３０は軟化して、蓋体２２０は伸縮棒３１と共に上方に移動することができ、蓋体２２０を基部２１０から分離することができる。
【００１２】
本実施形態において、取外し装置１００は、さらに第三磁石７０を備える。第三磁石７０は、吸着板４５における底台１０に向かう表面に固定される。電子装置２００の蓋体２２０と吸着板４５とが接触した際、第三磁石７０は、第二磁石２７０の上方に位置し、且つ第三磁石７０と第二磁石２７０とは互いに引き合う。吸着板４５が伸縮棒３１と共に上方に移動する際、第三磁石７０と第二磁石２７０とは互いに引き合っているため、第二磁石２７０も吸着板４５と共に上方に移動する。
【符号の説明】
【００１３】
１００  取外し装置
２００  電子装置
２１０  基部
２１１  底板
２１３  側壁
２１５  支持部
２１７  凹溝
２２０  蓋体
２３０  接着剤
１０  底台
１１  第一キャビティ
１３  第一排気孔
１５  支持板
１５１  第一通孔
１７  第一連接管
２０  支持部材
３０  駆動部材
３１  伸縮棒
４０  吸着部材
４１  第二キャビティ
４３  第二排気孔
４５  吸着板
４５１  第二通孔
４７  第二連接管
５０  加熱部材
５１  電熱線
５３  伝導板
６０  真空装置
２５０  第一磁石
２７０  第二磁石
７０  第三磁石
【図１】
2014116937.tif 000003
【図２】
2014116937.tif 000004
【図３】
2014116937.tif 000005
【図４】
2014116937.tif 000006